(57)【要約】【課題】  従来、安定してレンズを支持・固定させることができなかった。【解決手段】  雲台又はカメラ支持ブラケットに取付け可能な装着部に、望遠レンズ等のカメラ用のレンズを支持可能なレンズ受け台を備えたカメラレンズ支持具。前記カメラレンズ支持具において、レンズ受け台が、装着部に昇降可能に取付けてあるカメラレンズ支持具。また、レンズ受け台を、装着部に、支持軸によりレンズ先端側とその反対側とに首振り可能に取付けたカメラレンズ支持具。また、装着部を雲台等に、レンズ先端側とその反対側とにスライド可能に取付けたカメラレンズ支持具。また、装着部を雲台等に、反転可能に取付けたカメラレンズ支持具。レンズ受け台を下向きにして、装着部を雲台等に取付け可能としたカメラレンズ支持具。【選択図】図１
2005181405.tif 000002
【特許請求の範囲】
【請求項１】
雲台又は雲台に取付けられるカメラ支持ブラケットに取付け可能な装着部の先に、望遠レンズ等のカメラレンズを支持してそのブレを防止するレンズ受け台を備えたことを特徴とするカメラレンズ支持具。
【請求項２】
請求項１に記載のカメラレンズ支持具において、レンズ受け台が装着部に昇降可能に取付けられて、昇降操作により光軸合わせ可能としたことを特徴とするカメラレンズ支持具。
【請求項３】
請求項１又は請求項２に記載のカメラレンズ支持具において、レンズ受け台が装着部に、支持軸によりレンズ先端側とその反対側とに首振り可能に取付けられたことを特徴とするカメラレンズ支持具。
【請求項４】
請求項１乃至請求項３のいずれかに記載のカメラレンズ支持具において、装着部が雲台又はカメラ支持ブラケットに、レンズ先端側とその反対側とにスライド可能に取付けられたことを特徴とするカメラレンズ支持具。
【請求項５】
請求項１乃至請求項４のいずれかに記載のカメラレンズ支持具において、装着部が雲台又はカメラ支持ブラケットに反転可能に取付けられたことを特徴とするカメラレンズ支持具。
【請求項６】
請求項１乃至請求項５のいずれかに記載のカメラレンズ支持具において、レンズ受け台を下向きにして、装着部を雲台又はカメラ支持ブラケットに取付け可能であることを特徴とするカメラレンズ支持具。
【発明の詳細な説明】
【技術分野】
【０００１】
本発明は、三脚上に取り付け、写真機や測定器械などを上下左右の方向に動かして固定する雲台及び雲台に取付けられるカメラ支持ブラケットに取付けて用いる、望遠レンズ等のカメラ用のレンズを支持可能なカメラレンズ支持具に関するものである。
【背景技術】
【０００２】
従来、望遠レンズ等、長さ及び重量のあるカメラ用レンズを装着したカメラを三脚にセットして撮影をする際には、カメラ及びレンズのブレを防止するべく、特許文献１に示すようなカメラブレ防止伸縮ロッド付三脚を用いていた。該カメラブレ防止伸縮ロッド付三脚は、三脚中心の雲台受けポストの下端部に、取り付け金具及びロッド受け金具を設け、さらに長さ調節ナットを有する中空ロッド、レンズ受け台固定金具を有する中空ロッド、レンズ受け台の順で備えて構成される三脚である。前記カメラブレ防止伸縮ロッド付三脚は、中空ロッドの向き及び長さを調節して、レンズ受け台をレンズの真下に位置させてレンズを支持し、バンドで固定することによってレンズを固定していた。
【０００３】
また、図６に示すブレ防止用品のように、雲台Ａの上にプレート状の本体Ｂを取付け、円盤状のカメラ受け台ＣにカメラＤを固定し、レンズＥの真下からねじが切ってある伸縮ロッドＦを調節して、レンズＥを所望の位置に保持し、レンズＥを固定するものもあった（非特許文献１参照）。
【０００４】
【特許文献１】特開平１１−２８２０８１号公報。
【非特許文献１】株式会社ケンコー  「ケンコーフィルター＆撮影用品カタログ  ２０００−２００１」第２９頁。
【発明の開示】
【発明が解決しようとする課題】
【０００５】
従来の、特許文献１に示すカメラブレ防止伸縮ロッド付三脚には、ロッドによってレンズを固定するため、全体のバランスが悪く、カメラブレが大きいという課題がある。また、操作する部品も大型で数が多く、ロッドの長さや方向を調節する操作が煩雑であるという課題もある。
また、図６（非特許文献１参照）に示すブレ防止用品についても、レンズを支持するのは下方からの伸縮ロッド一本であって安定性を欠き、また、先広がりの望遠レンズ等は支持できず、光軸がブレやすいという課題がある。
【課題を解決するための手段】
【０００６】
本発明のカメラレンズ支持具は、全体のバランスがよく、先広がりの望遠レンズや、レンズフード等でも、光軸がブレずに安定した保持が可能であり、部品が少なく操作が容易で持ち運びにも便利なカメラレンズ支持具を提供するものである。
【０００７】
本件出願の第１のカメラレンズ支持具は、雲台又は雲台に取付けられるカメラ支持ブラケットに取付け可能な装着部の先に、望遠レンズ等のカメラレンズを支持してそのブレを防止するレンズ受け台を備えたものである。
【０００８】
本件出願の第２のカメラレンズ支持具は、前記のカメラレンズ支持具において、レンズ受け台が装着部に昇降可能に取付けられて、昇降操作により光軸合わせ可能としたものである。
【０００９】
本件出願の第３のカメラレンズ支持具は、前記のカメラレンズ支持具において、レンズ受け台が装着部に、支持軸によりレンズ先端側とその反対側とに首振り可能に取付けられたものである。
【００１０】
本件出願の第４のカメラレンズ支持具は、前記のカメラレンズ支持具において、装着部が雲台又はカメラ支持ブラケットに、レンズ先端側とその反対側とにスライド可能に取付けられたものである。
【００１１】
本件出願の第５のカメラレンズ支持具は、前記のカメラレンズ支持具において、装着部が雲台又はカメラ支持ブラケットに反転可能に取付けられたものである。
【００１２】
本件出願の第６のカメラレンズ支持具は、前記のカメラレンズ支持具において、レンズ受け台を下向きにして、装着部を雲台又はカメラ支持ブラケットに取付け可能であるものである。
【００１３】
本件出願の請求項１記載のカメラレンズ支持具には次のような効果がある。
（１）装着部が、雲台又は雲台に取付けられるカメラ支持ブラケットに取付け可能であるので、既存の雲台やカメラ支持ブラケットを用いてレンズを支持・固定することができ、三脚による全体のバランスも取りやすく、レンズを安定して支持・固定させることができる。また、既存の雲台に取付けるだけなので、操作も容易である。
（２）また、既存の雲台やカメラ支持ブラケットでレンズを支持するので、全体の部品の数も少なく済み、低コストで生産することができる。また、持ち運びも簡単である。
【００１４】
本件出願の請求項２記載のカメラレンズ支持具には、上記効果のほか、次のような効果がある。
（１）レンズ受け台が装着部に昇降可能に取付けられているので、様々な径のレンズを、光軸をブレさせずに安定させて固定することができる。
【００１５】
本件出願の請求項３記載のカメラレンズ支持具には、上記効果のほか、次のような効果がある。
（１）レンズ受け台が装着部に、支持軸によりレンズ先端側とその反対側とに首振り可能に取付けられているので、様々な形状のレンズを、光軸をブレさせずに安定させて固定することができる。従って、例えば先太りの望遠レンズ等であっても、光軸をブレさせずに固定することができる。
【００１６】
本件出願の請求項４記載のカメラレンズ支持具には、上記効果のほか、次のような効果がある。
（１）装着部が雲台又はカメラ支持ブラケットに、レンズ先端側とその反対側とにスライド可能に取付けられているので、様々な長さのレンズを、適切な位置で固定することができる。
【００１７】
本件出願の請求項５記載のカメラレンズ支持具には、上記効果のほか、次のような効果がある。
（１）装着部が雲台又はカメラ支持ブラケットに反転可能に取付けられているので、装着部をレンズ先端側に回動させれば、長さの長い望遠レンズ等であっても安定させて固定することができ、装着部を雲台のレンズ先端側と反対側に回動させれば、長さの短いレンズであっても光軸をブレさせずに安定させて固定することができるため、様々な長さのレンズを、光軸をブレさせずに安定させて固定することができる。
【００１８】
本件出願の請求項６記載のカメラレンズ支持具には、上記効果のほか、次のような効果がある。
（１）カメラレンズ支持台を下向きにして、装着部を雲台又はカメラ支持ブラケットに取付け可能であるので、雲台又はカメラ支持ブラケットにカメラレンズ支持具を取付けたままコンパクトに収納することができる。
（２）カメラレンズ支持具を外して、カメラ支持ブラケットとは別個に保管することももちろん可能である。
【発明を実施するための最良の形態】
【００１９】
（実施形態１）
本発明のカメラレンズ支持具の実施形態の一例を、図面を示して詳細に説明する。本発明のカメラレンズ支持具は、図１に示すように、装着部１に、レンズ受け台２をねじ３によって取付けてなる。
【００２０】
前記装着部１は、図２に示すように、底板部４と側板部５とからなる。底板部４は同図に示すような長手方向一端を幅広に形成した板材であって、雲台に設けられた取付けねじを螺入可能な取付け穴６が幅方向中央に、所定間隔で開口されている。側板部５は、前記底板部４の幅広に形成した部分の幅方向両端に、底板部４に対して鉛直に備えられている。側板部５には、前記ねじ３を挿通、移動させるため、上端部８を丸く切り欠き、それ以外の部分は細溝９としたスリット７が形成されている。前記底板部４と側板部５とは、一枚の板材を折り曲げて一体に成形されている。底板部４と側板部５とは、溶接等によって一体成形することもできる。
【００２１】
前記レンズ受け台２は、図２に示すように、上面を、カメラのレンズを保持できるように円弧状に切り欠いてレンズ受け部１０とした箱型の筐体であって、両側面には、前記ねじ３を螺入可能なねじ孔１１が形成されている。また、前記円弧状のレンズ受け部１０には、カメラのレンズの側面を保護するためにフェルト１２が貼り付けてある。
【００２２】
前記ねじ３は、図２に示すように、前記ねじ孔１１に螺入可能なようにねじが切られたねじ部１３と、ねじが切られておらず、細棒状に形成されたねじ頭付近の細棒部１４とに分かれて形成されたねじである。手で操作できるように、ねじ頭部分には握り部１５が取付けられている。前記ねじ部１３は、細棒部１４よりも径が大きく形成されており、前記装着部１のスリット７の上端部８は通過可能であるが、細溝９部は通過できない径に形成されている。一方細棒部１４は、上端部８と細溝９部双方を通過可能な径に形成されている。
【００２３】
従って、本発明のカメラレンズ支持具は、図１及び図２に示すように、レンズ受け台２を装着部１の両側板部５間に設置して、ねじ３のねじ部１３を、側板部５のスリット７の上端部８を通してレンズ受け台２のねじ孔１１に螺入し、握り部１５で側板部５を締め付けて、レンズ受け台２を固定して、組立てられる。
【００２４】
本発明のカメラレンズ支持具は、図１の矢印Ａ−Ａ´に示すように、レンズ受け台２を側板部５間で昇降させることも可能である。
【００２５】
本発明のカメラレンズ支持具は、図３の矢印Ｂ−Ｂ´に示すように、レンズ受け台２を、側板部５間で、ねじ３を支持軸として首振りさせることも可能である。
【００２６】
（使用例１）
本発明のカメラレンズ支持具を用いてカメラのレンズを保持・固定する場合を、図４を用いて説明する。本実施形態では、図４に示すように、プレート状の本体を有し、カメラを二台固定可能なカメラ支持ブラケット１６に、本発明のカメラレンズ支持具が取付けられている。前記カメラ支持ブラケット１６は、カメラ台を二箇所に備え、一方のカメラ台１７には、スライド溝１９が形成され、取付けねじ１８が、前記スライド溝１９中を移動できるように備えられ、他方のカメラ台２０には、取付けねじ２１のみが備えられ、いずれのカメラ台にもカメラを設置できるようにしてあるものである。本発明のカメラレンズ支持具は、図４に示すように、そのレンズ受け台２が上方に向くように前記装着部１が前記雲台１６のカメラ台１７上に設置されて、取付け穴６に前記取付けねじ１８がねじ込まれ、締め付けられてカメラ台１７上に固定されている。カメラ台１７上に固定した本発明のカメラレンズ支持具は、取付けねじ１８を緩めると、前記スライド溝１９に沿って図４の矢印Ｃ−Ｃ´に示す方向にスライドさせることができる。また、本発明のカメラレンズ支持具は、同様に取付けねじ１８を緩めると、同図の矢印Ｄ−Ｄ´に示す方向に反転させることもできる。前記他方のカメラ台２０には、望遠レンズ等の所望のレンズを取付けたカメラを、レンズをカメラ台１７方向に向けて取付けねじ２１によって取付ける（図示しない）。カメラ台２０には、クイックシュー等を備えた上でカメラを固定することが一般的である。カメラに取付けたレンズの長さ、径、形状、カメラへの取付け位置に応じて、装着部１を矢印Ｃ−Ｃ´に示す方向にスライド動させたり、矢印Ｄ−Ｄ´に示す方向に反転させたりして装着部１の位置及び方向を調節し、レンズ受け台２を矢印Ａ−Ａ´に示す方向に昇降させたり、矢印Ｂ−Ｂ´に示す方向に首振りさせたりして、レンズ受け台２の高さ・角度を調節して、レンズの側面をレンズ受け台２のレンズ受け部１０上に載せて、載せた状態でねじ３及び取付けねじ１８を締め付けて、光軸が合うようにしてレンズを保持・固定することができる。
【００２７】
（使用例２）
本発明のカメラレンズ支持具を取付けたまま前記カメラ支持ブラケット１６を収納する場合は、次のようにする。本発明のカメラレンズ支持具を取付けたまま前記カメラ支持ブラケット１６を収納する際には、図５に示すように、前記レンズ受け台２を下方に向けて装着部１を前記カメラ支持ブラケット１６のカメラ台１７上に設置して、取付け穴６に前記取付けねじ１８をねじ込んで、締め付けてカメラ台１７上に、本発明のカメラレンズ支持具を固定する。その際、装着部１を矢印Ｃ方向にスライドさせる等して、できるだけコンパクトに固定することが望ましい。もっとも、カメラレンズ支持具を外して、カメラ支持ブラケット１６とは別個に保管することももちろん可能である。
【００２８】
（その他の実施形態）
本発明のカメラレンズ支持具の装着部及びレンズ受け台の形状は、前記実施形態１に記載の形状には限られず、用いる雲台や、保持・固定するレンズの長さ、径、形状、カメラへの取付け位置等に応じて、種々の形状・大きさとすることができる。
【００２９】
また、本発明のカメラレンズ支持具を使用する雲台も、前記実施形態１に記載のものには限られず、例えば、カメラを三台取付け可能なもの等を用いることも可能である。
【産業上の利用可能性】
【００３０】
本発明のカメラレンズ支持具によって、先広がりの望遠レンズ等のカメラ用レンズ等でも、光軸がブレずに安定した保持が可能であり、操作が容易で持ち運びにも便利となる。
【図面の簡単な説明】
【００３１】
【図１】本発明のカメラレンズ支持具の実施形態の一例を示す斜視図。
【図２】図１に示すカメラレンズ支持具を示す分解斜視図。
【図３】図１に示すカメラレンズ支持具の実施の様子を示す斜視図。
【図４】図１に示すカメラレンズ支持具をカメラ支持ブラケットに取付けた様子を示す斜視図。
【図５】図１に示すカメラレンズ支持具をカメラ支持ブラケットに取付けた他の様子を示す斜視図。
【図６】従来のブレ防止用品の様子を示す斜視図。
【符号の説明】
【００３２】
１  装着部
２  レンズ受け台
３  ねじ
１０  レンズ受け部
１６  カメラ支持ブラケット
１９  スライド溝
【図１】
2005181405.tif 000003
【図２】
2005181405.tif 000004
【図３】
2005181405.tif 000005
【図４】
2005181405.tif 000006
【図５】
2005181405.tif 000007
【図６】
2005181405.tif 000008